(57)【特許請求の範囲】
【請求項１】
位置情報および操作情報からなる制御情報を受け取る通信制御手段と、
前記通信制御手段を介して得た前記制御情報を保持する記憶手段と、
前記記憶手段に保持された前記制御情報に識別子を付加する識別子決定手段と、
前記記憶手段に保持された制御情報中の位置情報により処理すべき対象データを決定する処理データ決定手段と、
前記制御情報と前記対象データと識別子とに基づきデータ処理を行う実行手段であって、複数の作業者が同じ対象データを操作しようとしたときの処理方式を、当該対象データまたは当該制御情報によって特定される当該対象データに対する処理内容によって異ならせる実行手段と
を備えたことを特徴とする情報処理装置。
【請求項２】
位置情報および操作情報からなる制御情報を保持する第１の記憶手段と、前記制御情報を伝達するための少なくとも１つの第１の通信制御手段とを有する複数の情報入力手段と、
前記情報入力手段から前記制御情報を受け取る第２の通信制御手段と、前記第２の通信制御手段を介して得た前記制御情報を保持する第２の記憶手段と、前記第２の記憶手段に保持された制御情報中の位置情報により処理すべき対象データを決定する処理データ決定手段と、前記第２の通信制御手段を介して接続された前記情報入力手段を識別する入力識別子を決定する入力識別子決定手段と、前記制御情報と前記対象データと入力識別子に基づきデータ処理を行う実行手段であって、複数の作業者が同じ対象データを操作しようとしたときの処理方式を、当該対象データまたは当該制御情報によって特定される当該対象データに対する処理内容によって異ならせる実行手段とを有する情報処理手段とを備えたことを特徴とする情報処理装置。
【請求項３】
前記情報入力手段は、その情報入力手段を識別するための入力識別子を保持する第３の記憶手段を備えたことを特徴とする請求項２に記載の情報処理装置。
【請求項４】
前記情報入力手段と前記情報処理手段を一体とした複数のコンピュータ機器をネットワークに接続して構成したことを特徴とする請求項２ないし３のいずれか１項に記載の情報処理装置。
【請求項５】
通信制御手段により位置情報および操作情報からなる制御情報を受け取り、
受け取った制御情報を記憶手段に記憶し、
前記記憶手段に記憶した制御情報に識別子を付加し、
前記記憶手段に記憶した制御情報中の位置情報により処理すべき対象データを決定し、
実行手段は、前記制御情報と前記対象データと識別子とに基づきデータ処理を実行すると共に、複数の作業者が同じ対象データを操作しようとしたときの処理方式を、当該対象データまたは当該制御情報によって特定される当該対象データに対する処理内容によって異ならせる
ことを特徴とする情報処理方法。
【発明の詳細な説明】
【０００１】
【産業上の利用分野】
この発明は、複数の使用者により並列して操作可能な情報処理装置に関する。
【０００２】
【従来の技術】
情報処理装置を複数の人により共有して使用する試みが近年なされてきている。例えば、会議の場において、中央表示装置上のマークの表示位置の制御を、複数の端末装置のうち選択された参加者が使用する端末からの入力のみを有効にすることにより可能とする方法が提案されている（特開平３−５２３７１号公報）。この場合、議長あるいは司会者が、発言者を指名するのと同様に複数の端末から一つを選択し、選択された端末を操作する参加者が中央表示装置上のマークを操作することによりプレゼンテーション資料中の任意の位置を指定しながら会議を進行することができる。
【０００３】
また、複数のコンピュータ機器で同一のアプリケーションプログラムを実行することにより複数の使用者が情報を共有して作業する方法も考えられている（”ＷＹＳＩＷＩＳ  Ｒｅｖｉｓｅｄ：  Ｅａｒｌｙ  Ｅｘｐｒｉｅｎｃｅｓ  ｗｉｔｈ  Ｍｕｌｔｉｕｓｅｒ  Ｉｎｔｅｒｆａｃｅｓ”，  Ｔｒａｎｓａｃｔｉｏｎｓ  ｏｎ  Ｏｆｆｉｃｅ  Ｉｎｆｏｒｍａｔｉｏｎ  Ｓｙｓｔｅｍｓ，  Ｖｏｌ．  ５，  Ｎｏ．  ２，  Ａｐｒｉｌ  １９８７，  ｐｐ．  ３２−４７，  Ａｓｓｏｃｉａｔｉｏｎ  ｏｆ  Ｃｏｍｐｕｔｉｎｇ  Ｍａｃｈｉｎｅｒｙ）。
【０００４】
また、一台の情報処理装置に複数のポインティングデバイスを接続し、それぞれのデバイスに対応して複数のカーソルをディスプレイに表示する方法（実開平２−８０８４９号公報）も提案されている。
【０００５】
【発明が解決しようとする課題】
前述した従来の第１の方法（特開平３−５２３７１号公報）では、表示画面上でのポインティング（指示）操作を行うのみであり、例えばプレゼンテーション会議において資料のページめくりといったポインティング以外の操作を行うことができない。また、ポインティング可能な参加者が一時に一人に限定されてしまい、その間は他の参加者が操作できないため、比較的少人数の会議などで見られるような複数のユーザが頻繁にポインティング操作をしながら議論を進めるといったことが困難であった。
【０００６】
また、複数のコンピュータ機器で同一のアプリケーションプログラムを実行する従来の第２の方法（Ｔｒａｎｓａｃｔｉｏｎｓ  ｏｎ  Ｏｆｆｉｃｅ  Ｉｎｆｏｒｍａｔｉｏｎ  Ｓｙｓｔｅｍｓ誌）の場合、すべての機器でアプリケーションを実行させる必要があるうえ、共有しているアプリケーションの動作により個々のコンピュータ機器を単体として利用しにくかった。さらに、すべてのデータに対して各使用者が常に同等の操作を行えるため、一人がひとまとまりの操作を行っている時に他の使用者が同じデータを操作しようとすると、予期しない操作結果が生じる可能性もあった。
【０００７】
また、前記従来の第３の方法（実開平２−８０８４９号公報）の場合、第２の方法（特開平３−５２３７１号公報）のようにポインティング可能な参加者が限定される問題は解決しているが、ディスプレイに表示されたカーソルによって表示内容の特定部分を指し示す以外の操作は不可能である。また、ポインティングデバイスが一台の情報処理装置に接続されているため、複数の情報処理装置により多種の情報を表示して作業を行うような場合、使用する装置の台数分のポインティングデバイスを各作業者に用意する必要があり、操作が煩雑になってしまう。
【０００８】
本発明はこのような問題を解決し、複数の使用者が並列して各種の操作を簡易に行うことのできる情報処理装置を提供することを目的とする。
【０００９】
【課題を解決するための手段】
本発明（請求項１）の情報処理装置は、位置情報および操作情報からなる制御情報を受け取る通信制御手段と、前記通信制御手段を介して得た前記制御情報を保持する記憶手段と、前記記憶手段に保持した制御情報に逐次識別子を付加する識別子決定手段と、前記記憶手段に保持された制御情報中の位置情報により処理すべき対象データを決定する処理データ決定手段と、前記制御情報と前記対象データと識別子とに基づきデータ処理を行う実行手段であって、複数の作業者が同じ対象データを操作しようとしたときの処理方式を、当該対象データまたは当該制御情報によって特定される当該対象データに対する処理内容によって異ならせる実行手段とを備えたことを特徴とする。
また、本発明（請求項２ないし５）の情報処理装置は、位置情報および操作情報からなる制御情報を保持する第１の記憶手段（図１；２Ａ，２Ｂ）と、前記制御情報を伝達するための少なくとも１つの第１の通信制御手段（図１；３Ａ，３Ｂ）とを有する複数の情報入力手段（図１；１Ａ，１Ｂ）と、前記情報入力手段から前記制御情報を受け取る第２の通信制御手段（図１；５Ａ，５ｂ）と、前記第２の通信制御手段を介して得た前記制御情報を保持する第２の記憶手段（図１；６）と、前記第２の記憶手段に保持された制御情報中の位置情報により処理すべき対象データを決定する処理データ決定手段（図１；７）と、前記制御情報と前記対象データに基づきデータ処理を行う実行手段であって、複数の作業者が同じ対象データを操作しようとしたときの処理方式を、当該対象データまたは当該制御情報によって特定される当該対象データに対する処理内容によって異ならせる実行手段（図１；８）と、前記第２の通信制御手段を介して接続された前記情報入力手段を識別する入力識別子を決定し、前記第２の記憶手段に保持された制御情報に付加する入力識別子決定手段（図５；１０）を有する情報処理手段（図１；４）とを備えた基本構成を有する。
【００１０】
また、前記基本構成において、前記情報処理手段には、前記第２の通信制御手段を介して接続された前記情報入力手段を識別する入力識別子を決定する入力識別子決定手段（図５；１０）を設けることができる。そして前記実行手段の処理は前記制御情報と前記対象データおよび前記入力識別子に基づいてなされる。
【００１１】
また、前記情報入力手段は、本発明の一態様では、その情報入力手段を識別するための識別子を保持する第３の記憶手段（図８；１１Ａ，１１Ｂ）を有する。
【００１２】
また、前記情報入力手段は、本発明の一態様では、前記第１の通信制御手段が送信する相手の情報処理手段を特定するアドレス決定手段（図９；１２）を有する。
【００１３】
また、本発明の他の態様では、前記情報入力手段と前記情報処理手段を一体とした複数のコンピュータ機器（図１２；１４）をＬＡＮ（ローカルエリアネットワーク）等ネットワーク接続にして構成することができる。
【００１４】
【作用】
本発明によれば、情報入力手段により入力された位置情報および操作情報を含む制御情報は第１および第２の通信制御手段を通して情報処理手段中の第２の記憶手段に蓄えられる。
蓄えられた位置情報をもとにして処理データ決定手段は例えば表示装置上（図示せず）の対応する領域にあるデータを選択する、あるいは処理すべき候補データの並びから対応する箇所にあるデータを選択する等の方法で処理すべきデータを決定する。ここで表示装置上の領域には表示装置上の画面の座標、あるいは表示画面の大きさによらない仮想的な表示領域上の座標とすることもできる。位置情報から処理データを選択する方法は、通常あらかじめ定められているものとする。
実行手段はこのようにして決定された処理データと位置情報および操作情報を解釈し、所定の処理を実行する。
本発明によれば、複数の作業者がそれぞれの情報入力手段１を用いて、情報処理手段４が保持するデータに対する操作が行えるものであり、例えばワークステーション上のウィンドウシステムにおける個々のウィンドウや、ハイパーテキストシステムにおける個々のノードを別々の作業者が操作することができる。
【００１５】
また、入力識別子決定手段を設けた本発明の態様においては、入力識別子決定手段は、第２の通信制御手段を介して接続された各情報入力手段に対して固有の入力識別子を決定し、情報入力手段から送られたそれぞれの制御情報に逐次識別ＩＤを付加し、実行手段は識別ＩＤごとに制御情報を処理することにより複数の使用者がそれぞれ独立した操作を行うことができるようにすることができる。
【００１６】
入力識別子決定手段の外に情報入力手段中に識別子を記憶する第３の記憶手段を有する本発明の態様においては、情報処理手段４に送る制御情報にこの識別子を含めるようにするので、入力識別子決定手段が逐次識別子を付加する必要はなくなる。
【００１７】
また、複数の情報処理手段４に接続されアドレス決定手段を有する情報入力手段を備えた本発明の態様においては、アドレス決定手段により選択された１つあるいは複数の情報処理部４にのみ制御情報を送るようにすることができる。
【００１８】
また、情報入力部１と情報処理部４とを一体にしたコンピュータ機器をＬＡＮ（ローカルエリアネットワーク）等ネットワーク１５を介して接続した場合においては、論理的に接続を確立することにより、物理的に複数の配線を施す等をせずに簡易な構成とすることができる。
【００１９】
【実施例】
（第１の実施例）
図１は本発明の第１の実施例の装置の構成を示すものである。
この装置は、複数の情報入力部１Ａ，１Ｂと、情報処理部４とからなる。
情報入力部１Ａは、入力される位置情報および操作情報からなる制御情報を保持する制御情報記憶部２Ａと、制御情報を情報処理部４へ伝達するための通信制御部３Ａとを有している。情報入力部１Ｂは同様の構成の制御情報記憶部２Ｂと通信制御部３Ｂとを有している。
情報処理部４は、情報入力部１Ａの通信制御部３Ａと通信を行う通信制御部５Ａと、情報入力部１Ｂの通信制御部３Ｂと通信を行う通信制御部５Ｂと、前記第２の通信制御部３Ａ、３Ｂを介して得た前記制御情報やその他の必要な情報を保持する制御情報等記憶部６と、その制御情報等記憶部６に保持された制御情報中の位置情報により処理すべき対象データを決定する処理データ決定部７と、前記制御情報と前記対象データに基づきデータ処理を行う実行部８とを有する。
【００２０】
情報入力部１においてある操作者が対象オブジェクトをマウスで指示しマウスボタンを押したとき、その指示位置とボタン情報は前述の制御情報として制御情報記憶部２に記憶される。その制御情報は通信制御部３により情報処理部４へ転送される。図２は、情報入力部１Ａあるいは１Ｂが複数の情報処理部に接続されている場合の処理手順の一例を表すフローチャートである。マウスボタンの操作等データ入力が検知されると（ステップ２０１）、接続されている情報処理部４の数ｎをカウンタｉにセットする（ステップ２０２）。ｎが０（一つも接続されていない）であったり、すべての情報処理部４に対する通信がなされた場合には処理を終了する（ステップ２０３）。そうでなければ各情報処理部４に対して、制御情報を送信し（ステップ２０４）、カウンタを更新する（ステップ２０５）。
【００２１】
図３は情報入力部１から情報処理部４に送られる制御情報の一例を示すものである。ｘ座標およびｙ座標は情報入力部１により入力された制御情報中の位置情報であり、情報処理部４の持つディスプレイ（図示せず）に表示されるカーソルの表示位置の決定や、ステップ４０２において処理データ決定部７において例えば対応する位置に表示されているウィンドウを操作対象のデータとするといった処理に使われる。ｘ座標およびｙ座標の形式は、ディスプレイ上の座標値を記述するようにしてもよいし、あるいはｘ方向、ｙ方向の座標の移動量を記述して制御情報等記憶部６に保持された座標値データを更新するようにしてもよい。識別ＩＤ、ボタン状態Ａおよびボタン状態Ｂは操作情報を構成する。識別ＩＤは複数の情報入力部１それぞれに対して固有に付けられ、対象データに対する操作可能性の判定（ステップ６０４）などにおいて利用される。ボタン状態Ａおよびボタン状態Ｂのフィールドには、マウスに付けられた２つのボタンが押されているかという情報がＯＮ／ＯＦＦ（あるいは１／０）などで記述される。３つのボタンを持ったマウスを使用する場合にはデータのフィールド（例えばボタン状態Ｃ）を一つ追加してもよい。あるいは後述する操作管理テーブル１６における他の作業者による操作の可否についての情報といった、マウスボタンのＯＮ／ＯＦＦ状態以外の情報を記述するフィールドを追加してもよい。
【００２２】
図４は、図１に示した構成の情報処理部４での処理手順の一例を表すフローチャートである。通信制御部５を介して制御情報を受信すると、その制御情報は制御情報等記憶部６に記憶される。情報処理部４は処理すべき制御情報が制御情報等記憶部６にあるかを判定し（ステップ４０１）、未処理の制御情報がある場合には、処理データ決定部７は制御情報中の位置情報をもとに対応する処理データｄを取得する（ステップ４０２）。処理すべきデータが存在しない（ステップ４０３）場合には処理を終了する。処理すべきデータが存在する場合は、実行部８により対象データｄの処理を実行する（ステップ４０４）。
この実施例では、情報処理部４に対して複数の情報入力部１Ａ、１Ｂがそれぞれ個別の通信制御部３Ａ、３Ｂを介して接続され、情報処理部４は受け取った制御情報を保持した後、その制御情報により各情報入力部から指示されたオブジェクトとそのオブジェクトに対する操作を解釈し、実行するようにしたので、情報処理装置４は、複数の使用者により並列して操作することができる。
【００２３】
（第２の実施例）
図５は本発明の第２の実施例の装置の構成を示すものである。これは図１の構成において情報処理部４に、通信制御部を介して接続された情報入力部の識別ＩＤを決定する入力者ＩＤ決定部１０を追加した構成を有する。
【００２４】
図６は、図５に示した構成の情報処理部４での処理手順の一例を表すフローチャートである。
以下では、例えばワークステーション上のウィンドウシステムにおける個々のウィンドウや、ハイパーテキストシステムにおける個々のノード等（以下対象オブジェクトと記す）の表示位置の移動を例にして情報処理部４で行われる制御動作の一例を説明する。ここでは情報入力部のマウスボタンが押された時のカーソル位置にある対象オブジェクトを、マウスボタンが離された時のカーソル位置に移動するものとする。
図４で説明したところと同じように処理データ決定部７により対象オブジェクトを決定する（ステップ６０２）。処理すべきデータが存在しない場合には処理を終了する（ステップ６０３）。処理すべきデータが存在する場合には、図７に示すような操作管理テーブル１６を参照して制御情報を発行した作業者が対象データｄに対する操作を許可されているか否かを判定する（ステップ６０４）。例えば操作管理テーブル１６が図７に示した状態であるときに、作業者Ｂ（識別ＩＤがＢであるとする）が対象オブジェクト１１６（処理データＩＤが１１６であるとする）を操作しようとした場合、すでに作業者Ａが操作中であり、他の作業者による操作が許されていないため処理はこのまま中止される。あるいは作業者Ｂが対象オブジェクト２３５を操作しようとした場合には他の作業者により操作不可能にされていないため、「処理データＩＤ：  ２３５、作業者：  Ｂ、他の作業者による操作：  ×」といった内容で操作管理テーブル１６に登録される（ステップ６０５，６０６）。後にボタンが離された場合には、対象オブジェクトを移動し（ステップ６０７）、操作が終了するので操作管理テーブル１６から前述のデータを削除する（ステップ６０９）。
この例では、既に操作管理テーブル１６に登録されたデータに対しては他の作業者による操作が許されていなかったが、この他に、別の作業者が操作しようとした場合に以前に操作していた作業者の処理を中断したり（例えば操作管理テーブル１６では○印で記される）、作業者の識別ＩＤに優先順位を付加して優先度の高い作業者の処理を優先させるようにしたり（例えば△印）、複数の作業者が操作可能とすることもできる（例えば無印）。最後の例の場合、操作管理テーブル１６には同じ対象オブジェクト（処理データＩＤ）を持つ行が複数存在する場合がある。このような他の作業者が同じ対象オブジェクトを操作しようとした時の処理方式は、図３に例示した制御情報中に対応するフィールドを追加して作業者が直接指定できるようにすることも可能である。また処理内容によっては対象オブジェクトに対する操作にデータの矛盾や意味のない処理結果を引き起こす可能性があるために、他の作業者による操作の可否の与え方は対象オブジェクトや処理内容を考慮して決定することが望ましい。
【００２５】
（第３の実施例）
図８は本発明の第３の実施例の装置の構成を示すものである。これは図５の第２の実施例の構成において、各情報入力部１Ａ、１Ｂに、情報入力部の識別ＩＤを保持する識別ＩＤ記憶部１１を追加した構成を有する。この識別ＩＤは制御情報に含めて、情報処理部４へ送信される。識別ＩＤは情報入力部１Ａ、１Ｂから与えられるので、入力者ＩＤ決定部１０は第２の実施例のように逐次識別ＩＤを付加する処理は必要がなくなる。情報入力部１への識別ＩＤの保存は、通信制御部３Ａ、３Ｂと通信制御部５Ａ、５Ｂとを接続する通信経路が確立された時に入力者ＩＤ決定部１０が識別ＩＤを情報入力部１Ａ、１Ｂに送出するようにしても、あるいは情報入力部１Ａ、１Ｂの使用者が個別に識別ＩＤを設定するようにしてもよい。
【００２６】
（第４の実施例）
図９は本発明の第４の実施例の装置の構成を示すものである。情報入力部１（１個のみが図示されている）が、複数の情報処理部４Ａ、４Ｂ、４Ｃに接続されており、情報入力部１には送信する相手の情報処理部を特定するアドレス決定部１２と、それぞれの情報処理部４Ａ、４Ｂ、４Ｃとの通信を行うために個別に対応する通信制御部３Ａ、３Ｂ、３Ｃが設けられている。
【００２７】
図１０は、図９に示した構成の情報入力部１での処理手順の一例を表すフローチャートである。マウスボタンの操作等データ入力が検知されると（ステップ１００１）、接続されている情報処理部４の数ｎをカウンタｉにセットする（ステップ１００２）。ｎが０（一つも接続されていない）であったり、すべての情報処理部４に対する通信がなされた場合には処理を終了する（ステップ１００３）。そうでなければ各情報処理部４に対して、アドレス決定部１２により送信設定がなされていれば（ステップ１００４）、制御情報を送信し（ステップ１００５）、カウンタを更新する（ステップ１００６）。
【００２８】
（第５の実施例）
図１１は複数の情報入力部が複数の情報処理部に接続された実施例を示す図であり、情報入力部１Ａ〜１Ｃはそれぞれ２つの通信制御部３Ａ〜３Ｆを持ち、情報処理部４Ａ、４Ｂの通信制御部５Ａ〜５Ｆと図示したように接続されている。これは、例えばマウスやタブレットといった座標入力装置を情報入力部として用いてその出力を分配し、各機器（情報入力部）からの出力を混合したものをワークステーション等のコンピュータ機器（情報処理部）に入力するよう構成することで実現できる。
ここで、情報処理部４Ａ、４Ｂ上で同一のアプリケーションプログラムを実行することにより、別の部屋等互いに離れた場所に設置して会議や打合せ等を行うことができる。
また、通信制御部３Ａ〜３Ｆのそれぞれにスイッチ等を付して情報入力部１を図９に示すように接続先のアドレスを決定できる構成とすることもできる。このような構成において、例えば３Ａ−５Ａ、３Ｅ−５Ｅ、３Ｆ−５Ｆの通信経路のみを有効にすると、情報入力部１Ａの使用者は情報処理部４Ａを個人使用し、かつ情報入力部１Ｂおよび１Ｃの使用者は情報処理部４Ｂを共有して打合せを行うことも可能である。位置情報として表示画面の座標を使用する場合、対応する表示位置に指示マーカを表示するようにすることにより、指示操作等を簡易にすることができる。
【００２９】
（第６の実施例）
図１２はこの発明による第６の実施例を示す図であり、情報入力部１と情報処理部４はワークステーションなどコンピュータ機器１４により一体として構成されており、ＬＡＮ等ネットワーク１５に接続されている。このように構成することにより、図１１の実施例のように複数の通信制御部３および５のそれぞれを物理的に接続せず、各機器１４に一つずつの通信制御部１３をネットワーク１５に接続して、各機器１４間の接続はネットワーク機能を利用して論理的に行うだけでよい。ここで、通信制御部１３が情報入力部１の制御情報を他の機器に送信し、かつ他の機器からの制御情報を受信することは従来の技術により可能である。また、この構成において、コンピュータ機器１４Ａ〜１４Ｃは情報入力部１Ａ〜１Ｃを使用し、コンピュータ機器１４Ｄは情報処理部４Ｄを使用するようにすれば、図１１に示した実施例と同様の使用形態も可能である。さらに、コンピュータ機器１４Ｄとの接続を切ることによりコンピュータ機器（例えば１４Ａ）は容易に従来の単体の機器として利用できるようになる。
【００３０】
【発明の効果】
以上のようにこの発明によれば、一台の情報処理装置に対して複数の使用者が並列して各種の操作を行ったり、在席あるいは遠隔地で複数の人が情報を共有しながら会議や打合せ等を容易に実施することができる。
【００３１】
また、本発明によれば、入力手段および情報処理手段を対にしたコンピュータ機器によりネットワーク構成とした場合にはアプリケーションプログラムを実行しているコンピュータ機器との接続処理を行うことにより、個人の使用しているコンピュータ機器を単体として使用しながら作業を進行することができる。
【００３２】
また、本発明によれば、入力手段を識別する識別子を基に他の使用者の操作との競合を防ぐことにより、一人の使用者がひとまとまりの操作を矛盾なく行うことができる。
【図面の簡単な説明】
【図１】  本発明の第１の実施例による情報処理装置の構成を表す図
【図２】  第１の実施例における情報入力部の処理手順の一例を表すフローチャート
【図３】  制御情報のフォーマットの一例を示す図
【図４】  第１の実施例における情報処理部の処理手順の一例を表すフローチャート
【図５】  本発明の第２の実施例による情報処理装置の構成を表す図
【図６】  第２の実施例における情報処理部の処理手順の一例を表すフローチャート
【図７】操作管理テーブルの一例を表す図
【図８】  本発明の第３の実施例による情報処理装置の構成を表す図
【図９】  本発明の第４の実施例による情報処理装置の構成を表す図
【図１０】  第４の実施例における情報処理部の処理手順の一例を表すフローチャート
【図１１】  本発明の第５の実施例による情報処理装置の構成を表す図
【図１２】  本発明の第６の実施例による情報処理装置の構成を表す図
【符号の説明】
１Ａ〜１Ｄ…情報入力部    ２Ａ，２Ｂ…記憶部    ３Ａ〜３Ｆ…通信制御部  ４Ａ〜４Ｄ…情報処理部    ５Ａ〜５Ｆ…通信制御部    ６…記憶部    ７…処理データ決定部    ８…実行部    １０…入力者ＩＤ決定部    １１Ａ，１１Ｂ…記憶部    １２…アドレス決定部    １３…通信制御部    １４…コンピュータ機器    １５…ネットワーク    １６…操作管理テーブル
【図１】
0003939365.tif 000002
【図２】
0003939365.tif 000003
【図３】
0003939365.tif 000004
【図４】
0003939365.tif 000005
【図５】
0003939365.tif 000006
【図６】
0003939365.tif 000007
【図７】
0003939365.tif 000008
【図８】
0003939365.tif 000009
【図９】
0003939365.tif 000010
【図１０】
0003939365.tif 000011
【図１１】
0003939365.tif 000012
【図１２】
0003939365.tif 000013